(57)【特許請求の範囲】
【請求項１】
動作モードの設定が可能な電話機であって、
発着信を検出する検出部と、
検出した発着信が特定の電話番号に対する発信又は特定の電話番号からの着信であるか否かを判定する判定部と、
前記判定部により特定の電話番号に対する発信又は特定の電話番号からの着信であると判定されることを条件に、通話中の音信号からＤＴＭＦ信号を抽出する抽出部と、
抽出した前記ＤＴＭＦ信号に基づいて動作定義情報を取得する動作取得部と、
取得した前記動作定義情報に基づいて前記動作モードの設定を変更するための設定画面を表示する表示制御部と、
を備える電話機。
【請求項２】
取得した前記動作定義情報に基づいて、前記電話機の設定を変更する設定変更部、
を更に備える請求項１に記載の電話機。
【請求項３】
前記抽出部は、前記動作定義情報に対応するＤＴＭＦ信号が抽出されることを条件に、前記音信号からの前記ＤＴＭＦ信号の抽出を終了する、
請求項１又は２に記載の電話機。
【請求項４】
前記動作定義情報には、複数のＤＴＭＦ信号から構成されるＤＴＭＦ信号群が対応付けられており、
前記抽出部は、前記動作定義情報に対応するＤＴＭＦ信号群に含まれる複数のＤＴＭＦ信号のうちの所定数のＤＴＭＦ信号が抽出されてから所定時間が経過することを条件に、前記音信号からの前記ＤＴＭＦ信号の抽出を終了する、
請求項１から３のいずれか１項に記載の電話機。
【請求項５】
前記表示制御部は、前記判定部により特定の電話番号に応じた発着信であると判定されることを条件に、表示部に所定情報を表示する、
請求項１から４のいずれか１項に記載の電話機。
【請求項６】
前記表示部に表示された前記所定情報に対する操作を受け付ける入力部を更に備え、
前記表示制御部は、前記操作を受け付けることを条件に、前記動作定義情報を選択可能に前記表示部に表示する、
請求項５に記載の電話機。
【請求項７】
動作モードの設定が可能な電話機が実行する、
前記電話機の発着信を検出するステップと、
検出した発着信が特定の電話番号に対する発信又は特定の電話番号からの着信であるか否かを判定するステップと、
特定の電話番号に対する発信又は特定の電話番号からの着信であると判定されることを条件に、通話中の音信号からＤＴＭＦ信号を抽出するステップと、
抽出した前記ＤＴＭＦ信号に基づいて動作定義情報を取得するステップと、
取得した前記動作定義情報に基づいて前記動作モードの設定を変更するための設定画面を表示するステップと、
を含む方法。
【請求項８】
動作モードの設定が可能な電話機を、
前記電話機の発着信を検出する検出部、
検出した発着信が特定の電話番号に対する発信又は特定の電話番号からの着信であるか否かを判定する判定部、
前記判定部により特定の電話番号に対する発信又は特定の電話番号からの着信であると判定されることを条件に、通話中の音信号からＤＴＭＦ信号を抽出する抽出部、
抽出した前記ＤＴＭＦ信号に基づいて動作定義情報を取得する動作取得部、及び
取得した前記動作定義情報に基づいて前記動作モードの設定を変更するための設定画面を表示する表示制御部、
として機能させる電話機用プログラム。
【発明の詳細な説明】
【技術分野】
【０００１】
本発明は、通話中の音信号に含まれるＤＴＭＦ信号に基づいて所定の制御を行う電話機、方法及び電話機用プログラムに関する。
【背景技術】
【０００２】
携帯電話の多機能化に伴い携帯電話の設定項目が増加したため、ユーザは、利用状況に合わせた適切な設定を行うことができない場合がある。このような場合、ユーザは、電話対応業務を専門的に行うコールセンター（以下、単に「ＣＳ」とする）に問い合わせを行い、設定のための適切な操作を把握することが一般的に行われている。
【０００３】
ところで、ＣＳのオペレータから操作方法を教わったとしても、通話終了後に操作したのでは教わった操作方法を忘れてしまう場合がある。そのため、オペレータと通話中に操作を完了する仕組みが求められている。
このような仕組みとして、例えば、オペレータがユーザの携帯電話を遠隔操作し、携帯電話の設定変更を補助することが考えられる。
【０００４】
携帯電話の遠隔操作に好適な技術として、ＤＴＭＦ（Dual-Tone Multi-Frequency）信号を用いた遠隔操作がよく知られている。例えば、特許文献１には、ＤＴＭＦ信号を送信することで相手側の携帯電話にＤＴＭＦ信号に対応する画像を表示する携帯電話システムが開示されている。
【先行技術文献】
【特許文献】
【０００５】
【特許文献１】特開２００９−２６０８５８号公報
【発明の概要】
【発明が解決しようとする課題】
【０００６】
しかしながら、単にＤＴＭＦ信号を受信したことに応じて携帯電話を遠隔操作してしまったのでは、誤った操作を行ってしまうおそれがある。例えば、友人との通話中に誤ってプッシュボタン等を操作してしまうと、ＤＴＭＦ信号が友人の携帯電話に送信されてしまい、友人の携帯電話を意図せず遠隔操作してしまう。
【０００７】
本発明は、このような問題に鑑みてなされたものであり、通話中の音信号に含まれるＤＴＭＦ信号に基づいて、誤動作を防止しつつ所定の制御を行う電話機、方法及び電話機用プログラムを提供することを目的とする。
【課題を解決するための手段】
【０００８】
本発明の電話は、動作モードの設定が可能な電話機であって、発着信を検出する検出部と、検出した発着信が特定の電話番号に対する発信又は特定の電話番号からの着信であるか否かを判定する判定部と、前記判定部により特定の電話番号に対する発信又は特定の電話番号からの着信であると判定されることを条件に、通話中の音信号からＤＴＭＦ信号を抽出する抽出部と、を備える。
【０００９】
また、抽出した前記ＤＴＭＦ信号に基づいて動作定義情報を取得する動作取得部と、取得した前記動作定義情報に基づいて前記動作モードの設定を変更するための設定画面を表示する表示制御部と、を更に備えることとしてもよい。
【００１０】
また、取得した前記動作定義情報に基づいて、前記電話機の設定を変更する設定変更部を更に備えることとしてもよい。
【００１１】
また、前記抽出部は、前記動作定義情報に対応するＤＴＭＦ信号が抽出されることを条件に、前記音信号からの前記ＤＴＭＦ信号の抽出を終了することとしてもよい。
【００１２】
また、前記動作定義情報には、複数のＤＴＭＦ信号から構成されるＤＴＭＦ信号群が対応付けられており、前記抽出部は、前記動作定義情報に対応するＤＴＭＦ信号群に含まれる複数のＤＴＭＦ信号のうちの所定数のＤＴＭＦ信号が抽出されてから所定時間が経過することを条件に、前記音信号からの前記ＤＴＭＦ信号の抽出を終了することとしてもよい。
【００１３】
また、前記表示制御部は、前記判定部により特定の電話番号に応じた発着信であると判定されることを条件に、表示部に所定情報を表示することとしてもよい。
【００１４】
また、前記表示部に表示された前記所定情報に対する操作を受け付ける入力部を更に備え、前記表示制御部は、前記操作を受け付けることを条件に、前記動作定義情報を選択可能に前記表示部に表示することとしてもよい。
【００１５】
また、本発明の方法は、動作モードの設定が可能な電話機が実行する方法であって、前記電話機の発着信を検出するステップと、検出した発着信が特定の電話番号に対する発信又は特定の電話番号からの着信であるか否かを判定するステップと、特定の電話番号に対する発信又は特定の電話番号からの着信であると判定されることを条件に、通話中の音信号からＤＴＭＦ信号を抽出するステップと、を含む。
【００１６】
また、本発明の電話機用プログラムは、動作モードの設定が可能な電話機を、前記電話機の発着信を検出する検出部、検出した発着信が特定の電話番号に対する発信又は特定の電話番号からの着信であるか否かを判定する判定部、前記判定部により特定の電話番号に対する発信又は特定の電話番号からの着信であると判定されることを条件に、通話中の音信号からＤＴＭＦ信号を抽出する抽出部、として機能させる。
【発明の効果】
【００１７】
本発明によれば、通話中の音信号に含まれるＤＴＭＦ信号に基づいて、誤動作を防止しつつ所定の制御を行うことができる。
【図面の簡単な説明】
【００１８】
【図１Ａ】本発明の携帯電話の概要を示す図である。
【図１Ｂ】本発明の携帯電話の概要を示す図である。
【図２】携帯電話を含む電話システムの構成を示すシステム構成図である。
【図３】携帯電話の機能構成を示すブロック図である。
【図４Ａ】記憶部に記憶されるデータの構成を示す図である。
【図４Ｂ】ＤＴＭＦ信号の構成を示す図である。
【図５Ａ】変更補助機能に対応している携帯電話の表示例である。
【図５Ｂ】変更補助機能に対応していない携帯電話の表示例である。
【図６】携帯電話の設定変更を補助する際の設定画面の画面遷移例を示す図である。
【図７】変更補助機能により携帯電話の設定変更を補助する際の動作例を示す図である。
【図８】変更補助機能により携帯電話の設定変更を補助する際の動作例を示す図である。
【図９】携帯電話の処理の流れを示すフローチャートである。
【図１０】別実施形態の携帯電話の概要を示す図である。
【発明を実施するための形態】
【００１９】
［本発明の概要］
初めに、図１を参照して、本発明の携帯電話の概要について説明する。
図１Ａに示すように、携帯電話のユーザが携帯電話の動作モードの設定方法が分からない場合、ユーザは、ＣＳに対して通話発信し、設定方法の問い合わせを行う。ＣＳのオペレータは、ユーザが所望する設定方法を調べ、ユーザに対して情報提供を行うところ、本発明では、ＣＳのオペレータは、通話中に、ＤＴＭＦ信号により構成される変更補助信号を携帯電話に送信する。携帯電話では、変更補助信号を受信すると、ユーザによる設定変更操作を補助する。
【００２０】
一例として、携帯電話では、ユーザが所望する設定を行うための設定画面を表示することで、ユーザによる設定変更操作を補助する。また、携帯電話では、ユーザが所望する設定を自動的に変更することで、ユーザによる設定変更操作を補助することとしてもよい。
なお、変更補助信号（即ち、ＤＴＭＦ信号）に基づいて設定変更操作を補助する携帯電話の機能を、以下では「変更補助機能」と呼ぶことがある。
【００２１】
このとき、予期せぬ動作を防止するため、本発明の携帯電話では、携帯電話の発着信を監視し、変更補助機能を制限する。即ち、図１Ｂに示すように、発着信の相手がＣＳである場合には変更補助機能をオンにし、発着信の相手が友人等のＣＳ以外である場合には変更補助機能をオフにする。
これにより、誤動作を防止しつつ、ＤＴＭＦ信号に基づいて容易に携帯電話の設定変更を補助することができる。
【００２２】
＜第１実施形態＞
以下、図面を参照して、本発明の実施形態について説明する。
【００２３】
［電話システムの構成］
初めに、図２を参照して、電話システム１００について説明する。電話システム１００は、ＤＴＭＦ信号に基づいて携帯電話の設定変更を補助するシステムであり、携帯電話１と、ＣＳ用端末８０と、サーバ９０と、を含んで構成される。
【００２４】
携帯電話１は、本発明の電話機に相当し、ユーザにより用いられる携帯電話である。なお、本発明の電話機は、携帯電話に限られず、ＣＳとの通話が可能な他の電話機であってもよい。携帯電話１には、サーバ９０から提供されるアプリケーションプログラムが格納される。携帯電話１は、このアプリケーションプログラムに従い変更補助機能を実現する。
【００２５】
ＣＳ用端末８０は、ＣＳのオペレータが用いる端末装置である。ＣＳ用端末８０は、携帯電話１との通話、及び通話中の携帯電話に対してＤＴＭＦ信号を送信する機能を少なくとも含む。ＣＳ用端末８０のオペレータは、携帯電話１のユーザから問い合わせがあると、ＣＳ用端末８０を用いて携帯電話１に対してＤＴＭＦ信号により構成される変更補助信号を送信する。
【００２６】
サーバ９０は、電話システム１００を統括するサーバ装置である。サーバ９０は、携帯電話１に対してアプリケーションプログラムを提供する。なお、変更補助機能により変更可能な設定内容は、逐次増減する。そこで、サーバ９０は、アプリケーションプログラムを更新した場合には、更新したアプリケーションプログラムを携帯電話１に対して提供する。このようにサーバ９０から携帯電話１には最新のアプリケーションプログラムが逐次提供されるため、携帯電話１では、更新前のアプリケーションプログラムでは補助できなかった設定変更を補助できるようになる。
【００２７】
［携帯電話の構成］
続いて、本発明の携帯電話１の機能構成について説明する。図３は、携帯電話１の機能構成を示すブロック図である。
図３に示すように、携帯電話１は、制御部２と、入力部３と、通信部４と、スピーカ５と、マイク６と、表示部７と、記憶部８と、を含んで構成される。
【００２８】
入力部３は、例えば、ボタンや、表示部７に重畳して配置される接触センサ等により構成される。入力部３は、携帯電話１のユーザから操作、例えば、表示部７に表示された情報を選択する操作を受け付ける。
通信部４は、基地局との間で無線通信を行う。即ち、通信部４は、制御部２から出力された信号を変調してＲＦ（Radio Frequency）信号を生成し、アンテナ（不図示）を介して当該ＲＦ信号を基地局に無線送信する。また、通信部４は、アンテナを介して受信したＲＦ信号を復調して、復調された信号を制御部２に出力する。
【００２９】
スピーカ５は、通話時等に音を出力するスピーカである。マイク６は、通話時等に音を入力するマイクである。
表示部７は、例えば、液晶ディスプレイや有機ＥＬ（Electro-Luminescence）ディスプレイ等により構成される。表示部７は、制御部２の制御に応じて文字や図形等を表示する。
【００３０】
記憶部８は、例えば、ＲＯＭ及びＲＡＭ等により構成され、携帯電話１に変更補助機能を実現させるためのアプリケーションプログラムや各種データを記憶する。
ここで、記憶部８に記憶されるデータの一例を図４Ａに示す。図４Ａに示すように、記憶部８は、変更補助信号に対応付けて動作定義情報を記憶する。
【００３１】
変更補助信号は、複数のＤＴＭＦ信号から構成されるＤＴＭＦ信号群である。なお、本実施形態では、夫々の変更補助信号は、特定のＤＴＭＦ信号（例えば、♯）から開始するＤＴＭＦ信号群である。
ＤＴＭＦ信号は、図４Ｂに示すように、低群及び高群の２つの音周波数帯域の合成信号であり、０から９までの数字と、＊、♯、Ａ、Ｂ、Ｃ、Ｄの記号との計１６種類の符号をあらわす合成信号である。
【００３２】
動作定義情報は、携帯電話１が有する動作モードの設定変更を補助するための動作を定義する情報である。例えば、変更補助信号「♯２２２」に対応する動作定義情報「Ｚ０１Ａ」は、海外渡航時の設定、即ち、海外で携帯電話１を用いるための設定変更を補助するための動作が定義されている。
なお、設定変更を補助するための動作は、携帯電話の機種毎に異なることがある。そこで、動作定義情報は、変更補助信号及び携帯電話の機種に対応付けて記憶することとしてもよい。図４Ａを参照すると、同じ変更補助信号「♯２２２」であっても、機種「ＡＢＣ１１」には動作定義情報「Ｚ０１Ａ」が対応付けられ、機種「ＤＥＦ２２」には動作定義情報「Ｚ０１Ｂ」が対応付けられている。
【００３３】
図３に戻り、制御部２は、例えば、ＣＰＵにより構成され、記憶部８に記憶されたアプリケーションプログラムを実行することで、検出部２１、判定部２２、抽出部２３、動作取得部２４、表示制御部２５、設定変更部２６及び音制御部２７として機能する。
【００３４】
検出部２１は、携帯電話１の発着信を検出する。判定部２２は、検出した発着信が特定の電話番号に対応する発信、又は特定の電話番号からの着信であるか否かを判定する。なお、特定の電話番号とは、ＣＳの電話番号である。
即ち、検出部２１及び判定部２２は、携帯電話１の発着信がＣＳに対するものであるか否かを監視する。
【００３５】
抽出部２３は、特定の電話番号に対する発信、又は特定の電話番号からの着信であると判定部２２により判定されることを条件に、通話中の音信号の中からＤＴＭＦ信号の抽出を開始する。抽出部２３は、通話中の音信号にＤＴＭＦ信号が含まれている場合に、そのＤＴＭＦ信号を抽出する。
なお、本実施形態では、抽出部２３は、ＤＴＭＦ信号に対応する１６種類の符号のうち電話のボタンで用いることの少ないＡ，Ｂ，Ｃ，Ｄを除く１２種類の符号に対応するＤＴＭＦ信号を抽出する。このとき、変更補助信号は、特定のＤＴＭＦ信号（例えば、♯）から開始することとしているため、抽出部２３は、初めに、特定のＤＴＭＦ信号のみを抽出する処理を実行しておき、その後、特定のＤＴＭＦ信号が抽出されることを条件に他の１１種類の符号に対応するＤＴＭＦ信号の抽出を開始することとしてもよい。これにより、携帯電話１のＣＰＵ使用率が軽減されるため、電力消費を抑えることができる。
【００３６】
抽出部２３がＤＴＭＦ信号の抽出を終了するタイミングは任意であり、例えば、ＣＳとの通話が終了したタイミングでＤＴＭＦ信号の抽出を終了することとしてもよく、また、その他のタイミングで終了することとしてもよい。例えば、抽出部２３は、動作定義情報に対応するＤＴＭＦ信号、即ち、変更補助信号が抽出されることを条件に、音信号からのＤＴＭＦ信号の抽出を終了することとしてもよい。
また、抽出部２３は、動作定義情報に対応するＤＴＭＦ信号群に含まれる複数のＤＴＭＦ信号のうちの所定数のＤＴＭＦ信号が抽出されてから所定時間が経過することを条件に、音信号からのＤＴＭＦ信号の抽出を終了することとしてもよい。変更補助信号が特定のＤＴＭＦ信号（例えば、♯）から開始することを考慮すると、抽出部２３は、例えば、特定のＤＴＭＦ信号が抽出されてから変更補助信号を構成するために必要な全長分の時間が経過することを条件にＤＴＭＦ信号の抽出を終了することとしてもよい。
【００３７】
動作取得部２４は、抽出したＤＴＭＦ信号に基づいて記憶部８から動作定義情報を取得する。即ち、動作取得部２４は、抽出したＤＴＭＦ信号が変更補助信号と一致する場合、この変更補助信号に対応する動作定義情報を取得する。なお、動作取得部２４は、携帯電話１の機種情報を参照して、携帯電話１の機種に適した動作定義情報を取得することが好ましい。
【００３８】
表示制御部２５は、取得した動作定義情報に基づいて動作モードの設定を変更するための設定画面を表示部７に表示する。なお、動作モードの中には、複数の設定画面を用いて設定を行わなければならないものも含まれる。この点、表示制御部２５は、設定画面とともに複数の設定画面を遷移するための操作部（図６の次へボタン３０２を参照）を表示することで、ユーザによる設定画面の遷移操作を補助する。また、表示制御部２５は、設定画面とともにユーザが行うべき設定内容を示す情報（図６の情報３０１，３０３を参照）を表示し、ユーザによる設定操作を補助する。
【００３９】
また、表示制御部２５は、判定部２２により特定の電話番号に応じた発着信であると判定されることを条件に、表示部７に所定情報を表示する。
携帯電話１は、サーバ９０から提供されるアプリケーションプログラムに従い変更補助機能を実現するため、アプリケーションプログラムを記憶しない携帯電話は変更補助機能を実現することができない。そこで、本実施形態では、携帯電話１の表示部７に所定情報を表示することで、変更補助機能に対応しているか否か判別可能にしている。即ち、図５Ａに示すように、変更補助機能に対応している携帯電話１の場合、表示制御部２５は、ＣＳとの通話中に対応マーク２０１を携帯電話１の表示部７に表示する。一方、図５Ｂに示すように、変更補助機能に対応していない携帯電話の場合、ＣＳとの通話中であっても対応マーク２０１が表示されない。
【００４０】
後述するように、この対応マーク２０１は、携帯電話１のユーザが選択可能に構成されており、ユーザが対応マーク２０１を選択すると、表示制御部２５は、携帯電話１の設定変更を補助するための動作定義情報を選択可能に、表示部７に表示する。
【００４１】
図３に戻り、設定変更部２６は、取得した動作定義情報に基づいて、携帯電話１の設定を変更する。なお、携帯電話１の設定変更の詳細については後述する。
【００４２】
音制御部２７は、ユーザの操作に基づいてスピーカホン設定をオン設定にする。一例として、表示部７に表示された対応マーク２０１が選択されると、音制御部２７は、スピーカホン設定をオン設定にする。なお、オン設定にしたスピーカホン設定をオフ設定にするタイミングは任意であり、例えば、ユーザが対応マーク２０１を再度選択したタイミング、ＣＳとの通話が終了したタイミング等の任意のタイミングを採用することができる。
【００４３】
［携帯電話の動作］
続いて、携帯電話１がユーザによる設定変更を補助する際の動作について説明する。なお、以下では、海外渡航時の設定を行う際の動作を例にとり説明する。
【００４４】
本実施形態において海外渡航時の設定は、（１）無線設定を国内モードから海外モードに変更、（２）データローミングをオンに設定、（３）ＰＲＬ（ローミングエリア情報）を最新のものに設定、の３段階の設定により行われる。
これら３段階の設定は、例えば、図６に示す無線設定画面７２において（１）の設定を行った後、ローミング設定画面７３において（２）（３）の設定を行うことで行われる。
【００４５】
このとき、（１）の設定を行う無線設定画面７２と、（２）（３）の設定を行うローミング設定画面７３とは、連続して遷移可能には構成されていないことがある。即ち、図６に示すように、携帯電話では、設定メニュー画面７１が設けられており、この設定メニュー画面７１を介して無線設定画面７２及びローミング設定画面７３に遷移することはできるものの、無線設定画面７２からローミング設定画面７３に直接遷移することができない。
ユーザにとってみれば、連続していない設定画面を用いて複数の段階からなる設定を行わなければならず、煩雑であり困難である。この点、変更補助機能を備える本発明の携帯電話１では、設定変更を補助するための動作が定義された動作定義情報を用いて設定変更を補助するため、本来連続していない設定画面を連続させることができる。
【００４６】
具体的には、図７（Ａ）に示すように、ＣＳ用端末８０から携帯電話１に変更補助信号が送信され、携帯電話１の制御部２（抽出部２３）が変更補助信号に対応するＤＴＭＦ信号を抽出すると、携帯電話１の制御部２（動作取得部２４）は、変更補助信号に対応する動作定義情報を取得する。
【００４７】
携帯電話１の制御部２（表示制御部２５）は、（表示制御部２５、設定変更部２６）は、取得した動作定義情報に従い海外渡航時のための設定変更を補助する。一例として、携帯電話１の制御部２（表示制御部２５、設定変更部２６）は、図７（Ｂ）に示すように、本来、設定メニュー画面７１を介して遷移する無線設定画面７２を通話中画面から直接、表示部７に表示するとともに、この無線設定画面７２においてユーザが行うべき設定内容を示す情報３０１を表示部７に表示する。ユーザが情報３０１に従い海外モードに変更ボタン３１を操作すると、携帯電話１の制御部２（設定変更部２６）は、無線設定を国内モードから海外モードに変更する。
【００４８】
また、この無線設定画面７２において次へボタン３０２が操作されると、携帯電話１の制御部２（表示制御部２５、設定変更部２６）は、図７（Ｃ）に示すように、無線設定画面７２から直接、ローミング設定画面７３を表示するとともに、このローミング設定画面７３において制御部２（設定変更部２６）が自動的に行った設定内容及びこのローミング設定画面７３においてユーザが行うべき設定内容を示す情報３０３を表示部７に表示する。その後、ユーザが情報３０３に従いＰＲＬボタン３０４を操作すると、携帯電話１の制御部２（設定変更部２６）は、ＰＲＬを最新のものに設定する。
【００４９】
なお、図７に示す例では、携帯電話１の表示制御部２５による表示制御と、設定変更部２６による設定変更制御とを同時に行う例について説明した。この点、本発明の携帯電話１では、表示制御部２５が設定画面を表示可能であればよく、設定変更部２６による設定変更制御は必須ではない。
【００５０】
また、図７に示す例では、携帯電話１の設定変更部２６が自動的に設定を変更する部分もあれば、ユーザの操作により設定を変更する部分もある。これは、携帯電話の仕様によって、自動的に設定を変更できる部分が異なるためである。一例として、携帯電話１では、（２）データローミングをオンに設定は自動的に変更できるものの、（１）無線設定を国内モードから海外モードに変更、（３）ＰＲＬを最新のものに設定は自動的に変更することができないため、（２）の設定を設定変更部２６が自動的に行い、（１）（３）の設定をユーザの操作により行うこととしている。
そのため、設定変更部２６が、取得した動作定義情報に基づいて携帯電話１の設定を変更するとは、設定変更部２６が自動的に設定を変更することに加え、ユーザの操作により設定変更部２６が設定を変更することを含む。
【００５１】
ところで、ＤＴＭＦ信号は、通話中の音信号とともに送信されるため、携帯電話１によってはＤＴＭＦ信号（変更補助信号）を適切に認識できない場合がある。このような場合にユーザが手動で設定変更するためには、連続していない設定画面を用いて複数の段階からなる設定を行わなければならず、煩雑であり困難である。
そこで、本実施形態の携帯電話１では、ユーザの操作により動作定義情報を選択可能にしている。
【００５２】
即ち、図８（Ａ）に示すように、携帯電話１がＤＴＭＦ信号（変更補助信号）を認識できない場合、ＣＳ用端末８０のオペレータは、携帯電話１のユーザに対して対応マーク２０１の操作を促す。
そして、携帯電話１の入力部３が、対応マーク２０１に対するユーザの操作を受け付けると、携帯電話１の制御部２（表示制御部２５）は、図８（Ｂ）に示すように、ユーザが選択可能な選択ボタン３１１，３１２を表示部７に表示する。この選択ボタン３１１は、海外渡航時の設定を行うためのボタンであり、選択ボタン３１２は、電池消費の抑制を行うためのボタンである。選択ボタン３１１，３１２が操作されると、携帯電話１の制御部２（動作取得部２４）は、対応する動作定義情報を取得する。なお、動作定義情報を取得した後の動作は、図７（Ｂ）（Ｃ）で既に説明した通りである。
【００５３】
［携帯電話の処理］
続いて、携帯電話１の処理について説明する。図９は、携帯電話１の処理の流れの一例を示すフローチャートである。
初めに、携帯電話１の制御部２（検出部２１、判定部２２）は、携帯電話１の発着信を監視し、通話先がＣＳに対するものであるか否か、即ち、発信先又は着信元の電話番号がＣＳの電話番号であるか否かを判定する（ステップＳ１）。
【００５４】
通話先がＣＳに対するものである場合、携帯電話１の制御部２（抽出部２３）は、通話中の音信号からＤＴＭＦ信号の抽出を開始する（ステップＳ２）。その後、携帯電話１の制御部２（抽出部２３）は、変更補助信号の開始に相当する「♯」のＤＴＭＦ信号を抽出すると（ステップＳ３）、変更補助信号を構成するために必要な全長分の時間の計時を開始する（ステップＳ４）。その後、所定時間が経過すると（ステップＳ５）、携帯電話１の制御部２（抽出部２３）は、この所定時間内に抽出したＤＴＭＦ信号が変更補助信号に対応するか否かを判定する（ステップＳ６）。この判定がＹＥＳのときは、処理をステップＳ７に移し、ＮＯのときは、処理をステップＳ３に移し、再度、変更補助信号の抽出を行う。
【００５５】
ステップＳ７では、携帯電話１の制御部２（抽出部２３）がＤＴＭＦ信号の抽出を終了すると、携帯電話１の制御部２（動作取得部２４）は、抽出した変更補助信号に対応する動作定義情報を記憶部８から取得する。続いて、携帯電話１の制御部（表示制御部２５、設定変更部２６）は、動作定義情報に基づいて携帯電話１の設定変更を補助し（ステップＳ８）、処理を終了する。即ち、携帯電話１の制御部（表示制御部２５、設定変更部２６）は、設定画面及び付随する情報（次へボタン３０２や情報３０１、３０３等）を表示するとともに、必要に応じて自動的な設定変更を行うことで、設定変更を補助する。
【００５６】
また、通話先がＣＳに対するものである場合、携帯電話１の制御部２（表示制御部２５）は、変更補助機能に対応していることを示す対応マーク２０１を携帯電話１の表示部７に表示する（ステップＳ１１）。
【００５７】
その後、携帯電話１の入力部３が対応マーク２０１に対する操作を受け付けると（ステップＳ１２）、携帯電話１の制御部２（表示制御部２５）は、動作定義情報を選択するための選択ボタン３１１，３１２を携帯電話１の表示部７に表示する（ステップＳ１３）。続いて、携帯電話１の制御部２（動作取得部２４）は、選択ボタン３１１，３１２が操作されたか否かを監視し（ステップＳ１４）、選択ボタン３１１，３１２が操作された場合には、操作された選択ボタン３１１，３１２に対応する動作定義情報を記憶部８から取得し（ステップＳ１５）、処理をステップＳ８に移す。
他方、対応マーク２０１や選択ボタン３１１，３１２が操作されない場合は、携帯電話１の制御部２は、処理を終了する。
【００５８】
［第１実施形態の携帯電話の効果］
以上説明した本実施形態の携帯電話１によれば以下の効果を期待できる。
【００５９】
携帯電話１では、通話中に常にＤＴＭＦ信号を抽出するのではなく、通話先がＣＳに対するものである場合にのみＤＴＭＦ信号を抽出する。そのため、友人等との通常の通話時に誤って携帯電話１を動作してしまうことを防止できる。
【００６０】
また、携帯電話１では、ＣＳとの通話中に音信号に含まれるＤＴＭＦ信号を抽出すると、抽出したＤＴＭＦ信号に基づいて携帯電話１の設定変更を補助する。これにより、多機能になり多様な設定が必要な携帯電話１において、容易に設定を行うことができる。その結果、本発明の携帯電話１によれば、通話中の音信号に含まれるＤＴＭＦ信号に基づいて、誤動作を防止しつつユーザによる設定変更を補助することができる。
【００６１】
また、携帯電話１では、変更補助信号に対応するＤＴＭＦ信号を抽出すると、自動的に設定を変更する。これにより、設定変更に多くの操作が必要になる場合であっても、容易に設定変更することができるため、利便性を向上することができる。
【００６２】
また、携帯電話１では、設定変更を補助するための動作定義情報に対応するＤＴＭＦ信号を抽出すると、ＤＴＭＦ信号の抽出を終了する。これにより、設定変更を補助するために十分な状況になった後はＣＳとの通話中であってもＤＴＭＦ信号の抽出を行わないため、携帯電話１のＣＰＵ使用率を軽減でき、電力消費を抑えることができる。
【００６３】
また、携帯電話１は、動作定義情報に対応するＤＴＭＦ信号群（変更補助信号）の開始を示す特定のＤＴＭＦ信号（♯）を抽出してから、ＤＴＭＦ信号群の全長分の時間が経過することを条件に、ＤＴＭＦ信号の抽出を終了することとしてもよい。このような場合であっても、携帯電話１のＣＰＵ使用率を軽減でき、電力消費を抑えることができる。
【００６４】
また、携帯電話１では、ＣＳとの通話中に対応マーク２０１を表示部７に表示する。これにより、変更補助機能に対応しているか否か判別可能になるため、ユーザとＣＳのオペレータとのやり取りが円滑になる。
【００６５】
また、携帯電話１では、対応マーク２０１に対する操作を受け付けると、ＤＴＭＦ信号に依らずに動作定義情報を選択可能な選択ボタン３１１，３１２を表示する。これによりＤＴＭＦ信号の抽出精度が悪い場合であっても、ユーザによる設定変更を補助することができ、ユーザは携帯電話１の設定を容易に変更することができる。
【００６６】
＜第２実施形態＞
続いて、本発明の携帯電話１の第２実施形態について説明する。
携帯電話１は、通信部４を介して通話中の音信号を受信し、スピーカ５から出力する。通話中の音信号からＤＴＭＦ信号を抽出するには、通信部４を介して受信した音信号を解析することが好ましい。しかしながら、通信部４からスピーカ５までの仕様は、携帯電話１の製造メーカが行うものであり、携帯電話１によっては通信部４を介して受信した音信号を直接解析することができない場合がある。
【００６７】
そこで、第２実施形態の携帯電話１は、図１０に示すように、通信部４を介して受信した音信号を直接解析するのではなく、スピーカ５から音として出力した後に、マイク６を介して取得した音信号を抽出部２３が解析してＤＴＭＦ信号を抽出する。
【００６８】
具体的には、ＣＳのオペレータは、通話中にユーザに対してスピーカホン設定をオンにすることを促す。これに伴いユーザが携帯電話１を操作すると、音制御部２７は、スピーカホン設定をオン設定にする。これにより、通話中の音がスピーカ５から携帯電話１の周囲に向けて出力されることになるため、通話中の音に含まれるＤＴＭＦ信号に対応する合成音をマイク６で取得することができる。
【００６９】
携帯電話１の抽出部２３は、マイク６を介して取得したスピーカから出力される通話中の音に応じた音信号を解析し、この音信号からＤＴＭＦ信号を抽出する。そして、抽出部２３が変更補助信号に対応するＤＴＭＦ信号を抽出すると、動作取得部２４が対応する動作定義情報を取得し、表示制御部２５及び設定変更部２６がこの動作定義情報に基づいて携帯電話１の設定変更を補助する。
【００７０】
［第２実施形態の携帯電話の効果］
以上のように、第２実施形態の携帯電話１では、スピーカホン設定がオンの状態でスピーカ５から出力される音をマイク６で取得した音信号から、ＣＳ用端末８０が送信したＤＴＭＦ信号を抽出する。
これにより、通信部４及びスピーカ５間の仕様を変更することができない携帯電話１であっても、ＤＴＭＦ信号を抽出することができ、変更補助機能を実現することができる。
【００７１】
なお、オン設定にしたスピーカホン設定は、所定条件を満たすことを条件にオフ設定になるため、通話を妨げることがない。このとき、所定条件としては、ユーザの操作、ＣＳとの通話終了、ＤＴＭＦ信号の抽出等、任意の条件を用いることができる。
【００７２】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。
【符号の説明】
【００７３】
１・・・携帯電話、２・・・制御部、２１・・・検出部、２２・・・判定部、２３・・・抽出部、２４・・・動作取得部、２５・・・表示制御部、２６・・・設定変更部、２７・・・音制御部、３・・・入力部、４・・・通信部、５・・・スピーカ、６・・・マイク、７・・・表示部、８・・・記憶部
【図１Ａ】
0005992005.tif 000002
【図１Ｂ】
0005992005.tif 000003
【図２】
0005992005.tif 000004
【図３】
0005992005.tif 000005
【図４Ａ】
0005992005.tif 000006
【図４Ｂ】
0005992005.tif 000007
【図５Ａ】
0005992005.tif 000008
【図５Ｂ】
0005992005.tif 000009
【図６】
0005992005.tif 000010
【図７】
0005992005.tif 000011
【図８】
0005992005.tif 000012
【図９】
0005992005.tif 000013
【図１０】
0005992005.tif 000014